(57)【要約】【課題】ＬＥＤケーシングと電源ケーシングとが着脱可能なモジュールを備えるＬＥＤ照明器具を提供することを目的とする。【解決手段】ＬＥＤ１０２ａ・１０２ａ・・・が実装されたＬＥＤ基板１０２と、ＬＥＤ基板１０２に電力を供給する電源回路１０３とを有するＬＥＤ照明器具１０１において、ＬＥＤ基板１０２を収納するＬＥＤケーシング１０４と、ＬＥＤケーシング１０４とは別体に構成され、電源回路１０３を収納する電源ケーシング１０５とを備え、ＬＥＤケーシング１０４と電源ケーシング１０５とが着脱可能に組み付けられるものである。【選択図】図４
2008258066.tif 000002
【特許請求の範囲】
【請求項１】
ＬＥＤが実装されたＬＥＤ基板と、該ＬＥＤ基板に電力を供給する電源回路とを有するＬＥＤ照明器具において、
前記ＬＥＤ基板を収納するＬＥＤケーシングと、
前記ＬＥＤケーシングとは別体に構成され、前記電源回路を収納する電源ケーシングとを備え、
該ＬＥＤケーシングと電源ケーシングとが着脱可能に組み付けられる、
ことを特徴とするＬＥＤ照明器具。
【請求項２】
前記ＬＥＤケーシング及び電源ケーシングは、放熱性材料で構成される、
ことを特徴とする請求項１に記載のＬＥＤ照明器具。
【請求項３】
前記ＬＥＤケーシング及び電源ケーシングは、有底筒状に形成され、筒底面同士が面接触されて組み付けられる、
ことを特徴とする請求項２に記載のＬＥＤ照明器具。
【請求項４】
前記ＬＥＤケーシング及び電源ケーシングは、略同一断面を有する筒状に形成され、一の筒状体を構成するように組み付けられる、
ことを特徴とする請求項１から請求項３までのいずれか一項に記載のＬＥＤ照明器具。
【発明の詳細な説明】
【技術分野】
【０００１】
本発明は、照明器具の技術に関し、より詳細には、ＬＥＤが実装されたＬＥＤ基板と、該ＬＥＤ基板に電力を供給する電源回路とを有するＬＥＤ照明器具の技術に関する。
【背景技術】
【０００２】
従来、ＬＥＤが実装されたＬＥＤ基板と、該ＬＥＤ基板に電力を供給する電源回路とを有するＬＥＤ照明器具の技術は公知となっている。例えば、特許文献１には、ＬＥＤ実装基板が収納されている光源部収納カバーと、直流電源回路が収納されている電源部収納カバーとにより構成されるカバーを備えるＬＥＤ点灯装置が開示されている。
【特許文献１】特開２００４−５５８００号公報
【発明の開示】
【発明が解決しようとする課題】
【０００３】
しかし、特許文献１に開示されているＬＥＤ点灯装置は、ＬＥＤケーシングである光源部収納カバーと、電源部収納カバーである電源ケーシングとが一体的に構成されているため、ＬＥＤケーシングと電源ケーシングとを着脱して、照明器具のバリエーションに応じて別体あるいは一体とする使い分けや、ＬＥＤケーシング及び電源ケーシングの交換が容易なモジュールとされていない。
【０００４】
本発明は以上の状況に鑑み、ＬＥＤケーシングと電源ケーシングとが着脱可能なモジュールを備えるＬＥＤ照明器具を提供することを目的とする。
【課題を解決するための手段】
【０００５】
本発明の解決しようとする課題は以上のとおりであり、次にこの課題を解決するための手段を説明する。
【０００６】
すなわち、請求項１においては、
ＬＥＤが実装されたＬＥＤ基板と、該ＬＥＤ基板に電力を供給する電源回路とを有するＬＥＤ照明器具において、
前記ＬＥＤ基板を収納するＬＥＤケーシングと、
前記ＬＥＤケーシングとは別体に構成され、前記電源回路を収納する電源ケーシングとを備え、
該ＬＥＤケーシングと電源ケーシングとが着脱可能に組み付けられるものである。
【０００７】
請求項２においては、
前記ＬＥＤケーシング及び電源ケーシングは、放熱性材料で構成されるものである。
【０００８】
請求項３においては、
前記ＬＥＤケーシング及び電源ケーシングは、有底筒状に形成され、筒底面同士が面接触されて組み付けられるものである。
【０００９】
請求項４においては、
前記ＬＥＤケーシング及び電源ケーシングは、略同一断面を有する筒状に形成され、一の筒状体を構成するように組み付けられるものである。
【発明の効果】
【００１０】
本発明の効果として、以下に示すような効果を奏する。
【００１１】
請求項１においては、
ＬＥＤケーシングと電源ケーシングとを着脱して、照明器具のバリエーションに応じて別体あるいは一体とする使い分けや、ＬＥＤケーシング及び電源ケーシングの交換が容易であるため、部品のモジュール化によるコストの削減が可能となる。
【００１２】
請求項２においては、
ケーシングが放熱手段を兼ねることにより、別に放熱手段を設けずにすむため、コストを削減できる。
【００１３】
請求項３においては、
両ケーシングの筒底面同士が面接触されて組み付けられることにより、放熱面積が増加するため、電源ケーシングを介してＬＥＤケーシングの放熱性が向上する。
【００１４】
請求項４においては、
同一の筒状に形成された両ケーシングが一の筒状体を構成するため、照明器具の外観がシンプルになり、意匠が向上する。
【発明を実施するための最良の形態】
【００１５】
次に、発明を実施するための最良の形態を説明する。
図１は第一実施例にかかるＬＥＤ照明器具を示した側面図、図２は同じく側面断面図、図３は同じく正面図、図４は第一実施例にかかるケーシングの着脱機構を示した斜視図、図５は第二実施例にかかるケーシングの着脱機構を示した斜視図、図６は第三実施例にかかるケーシングの着脱機構を示した斜視図、図７は第四実施例にかかるケーシングの着脱機構を示した斜視図である。
【００１６】
先ず、第一実施例のＬＥＤ照明器具１０１の全体構成について、図１から図３を用いて説明する。なお、以下の説明では、ＬＥＤ照明器具１０１を天井１００に取り付けた状態について説明し、図１に示す上矢印方向を「上方向（背面方向）」、下矢印方向を「下方向（正面方向）」とする。
【００１７】
図１及び図２に示すように、ＬＥＤ照明器具１０１は、例えば、天井１００からつり下げられて使用されるペンダントライト（天井つり下げ灯）である。ＬＥＤ照明器具１０１は、ＬＥＤ１０２ａ・１０２ａ・・・が実装されたＬＥＤ基板１０２と、このＬＥＤ基板１０２に電力を供給する電源回路１０３とを有するとともに、ＬＥＤ基板１０２を収納するＬＥＤケーシング１０４と、このＬＥＤケーシング１０４とは別体に構成され、電源回路１０３を収納する電源ケーシング１０５とを備えている。詳しくは後述するが、ＬＥＤ照明器具１０１は、ＬＥＤケーシング１０４と電源ケーシング１０５とが着脱可能に組み付けられている。
【００１８】
図３に示すように、ＬＥＤ基板１０２は、円板状に加工されたプリント配線板上に、５個の発光ダイオード（ＬＥＤ）１０２ａ・１０２ａ・・・が、正面視略正五角形に配置されて実装されている。ＬＥＤ１０２ａ・１０２ａ・・・には、コリメートレンズ（集光レンズ）１０６・１０６・・・がそれぞれ装着されている。
【００１９】
ＬＥＤケーシング１０４は、ＬＥＤ基板１０２を収納するためのアルミニウム、銅、真鍮、セラミック等の放熱性材料で構成される筒状部材である。ＬＥＤケーシング１０４は、円筒状に形成され、この円筒の中空部にＬＥＤ基板１０２が収納されている。ＬＥＤケーシング１０４の上面部材１０４ｂの上面は、平らに形成されており、ＬＥＤケーシング１０４の上面部材１０４ｂの下面には、前記ＬＥＤ基板１０２が絶縁部材（不図示）を介して固着されている。ＬＥＤケーシング１０４の底面部材１０４ｃには、ＬＥＤ１０２ａ・１０２ａ・・・の光を導出するための導出口１０４ａ・１０４ａ・・・が、ＬＥＤ１０２ａ・１０２ａ・・・と同数（５箇所）開口されている。
導出口１０４ａ・１０４ａ・・・は、コリメートレンズ１０６・１０６・・・が嵌合するよう正面視略円形に形成され、コリメートレンズ１０６・１０６・・・の位置と略一致するよう正面視略正五角形を形成するように配置されている。
【００２０】
電源回路１０３は、交流電圧を所定の直流電圧に変換し、または高圧直流電圧を低圧直流電圧に減圧し、ＬＥＤ基板１０２に電力を供給するためのものであり、円板状に加工されたプリント配線板上に実装されている。
電源ケーシング１０５は、ＬＥＤケーシング１０４と同様にアルミニウム、銅、真鍮、セラミック等の放熱性材料で構成される電源回路１０３を収納するためのもの筒状部材である。電源ケーシング１０５は、円筒状に形成され、この円筒の中空部に電源回路１０３が収納されている。電源ケーシング１０５は、ＬＥＤケーシング１０４とは別体に構成され、ＬＥＤケーシング１０４と略同一断面を有する円筒状に形成され、ＬＥＤケーシング１０４と軸心が略一致するように組み付けられて一の筒状体となるように構成されている。ＬＥＤケーシング１０４の上面部材１０４ｂの上面と接触する電源ケーシング１０５の上面部材１０５ｂの下面は、平らに形成されており、ＬＥＤケーシング１０４と電源ケーシング１０５とが組み付けられると、面接触されるように構成されている。電源ケーシング１０５の上面部材１０５ｂには、電源回路１０３に接続される電源コード１０７が差し通される電源コード差込口１０５ａが開口されている。
【００２１】
次に、ＬＥＤケーシング１０４と電源ケーシング１０５との着脱機構について、図４を用いて説明する。
図４に示すように、ＬＥＤ照明器具１０１は、電源ケーシング１０５の底面部材１０５ｃの下面に設けられている引掛具１０８・１０８・・・に、ＬＥＤケーシング１０４の上面部材１０４ｂに開口されている引掛溝１０９・１０９・・・が引っ掛けられることにより、ＬＥＤケーシング１０４と電源ケーシング１０５とが組み付けられるように構成されている。
【００２２】
引掛具１０８・１０８・・・は、断面視略Ｌ字状に形成され、電源ケーシング１０５の底面部材１０５ｃの下面に、正面視において電源ケーシング１０５の軸中心回りに略等間隔で複数個（３個）配置されている。
引掛溝１０９・１０９・・・は、正面視において引掛具１０８・１０８・・・の位置と略一致する位置に、引掛具１０８・１０８・・・と同数（３箇所）開口されている。引掛溝１０９は、大径部１０９ａと小径部１０９ｂとを備えてなり、大径部１０９ａは、引掛具１０８を上下方向に挿入可能に形成され、小径部１０９ｂは、引掛具１０８を溝端面に沿って摺動可能に形成されている。
【００２３】
また、電源ケーシング１０５の底面部材１０５ｃのコード通し穴１０５ｄからは、電源回路１０３に接続されている電源側コード１１０が延出されているとともに、ＬＥＤケーシング１０４からは、ＬＥＤ基板１０２に接続されているＬＥＤ側コード１１１が延出されている。そして、電源側コード１１０の先端に設けられている接続プラグ１１０ａと、ＬＥＤ側コード１１１の先端に設けられている接続プラグ１１１ａとが接続されることにより、電源回路１０３とＬＥＤ基板１０２とが電気的に接続されるように構成されている。
【００２４】
このような構成により、次のようにしてＬＥＤケーシング１０４と電源ケーシング１０５とが着脱可能に組み付けられる。
図４に示すように、ＬＥＤ側コード１１１の接続プラグ１１１ａと、電源側コード１１０の接続プラグ１１０ａとを接続して、ＬＥＤケーシング１０４の上面部材１０４ｂの上面と、電源ケーシング１０５の底面部材１０５ｃの下面とを対向させる。
そして、電源ケーシング１０５の引掛具１０８・１０８・・・を、ＬＥＤケーシング１０４の引掛溝１０９・１０９・・・の大径部１０９ａ・１０９ａ・・・に挿入させる。このとき、接続された状態のプラグ１１０ａ、１１１ａ及びコード１１０、１１１の類は、電源ケーシング１０５のコード通し穴１０５ｄから、電源ケーシング１０５内に収納される。
そして、ＬＥＤケーシング１０４の軸心と電源ケーシング１０５の軸心とが略一致されて、引掛具１０８・１０８・・・が引掛溝１０９・１０９・・・の大径部１０９ａ・１０９ａ・・・に挿入された状態で、ＬＥＤケーシング１０４を軸回りに回転させると、引掛具１０８・１０８・・・が引掛溝１０９・１０９・・・の小径部１０９ｂ・１０９ｂ・・・の溝端面に沿って摺動されて、引掛具１０８・１０８・・・が引掛溝１０９・１０９・・・に引っ掛けられる。
こうして、ＬＥＤケーシング１０４と電源ケーシング１０５とが組み付けられる。このとき、ＬＥＤケーシング１０４の上面部材１０４ｂの上面と、電源ケーシング１０５の底面部材１０５ｃの下面とは、面接触されているいるとともに、略同一断面を有するＬＥＤケーシング１０４と電源ケーシング１０５とは、軸心が略一致されて一の筒状体を構成するように組み付けられている。
なお、ＬＥＤケーシング１０４と電源ケーシング１０５と分離する際には、上述した手順を逆に辿ることで容易に行うことができる。
【００２５】
以上のように、本実施例にかかるＬＥＤ照明器具１０１は、ＬＥＤ１０２ａ・１０２ａ・・・が実装されたＬＥＤ基板１０２と、ＬＥＤ基板１０２に電力を供給する電源回路１０３とを有するＬＥＤ照明器具１０１において、ＬＥＤ基板１０２を収納するＬＥＤケーシング１０４と、ＬＥＤケーシング１０４とは別体に構成され、電源回路１０３を収納する電源ケーシング１０５とを備え、ＬＥＤケーシング１０４と電源ケーシング１０５とが着脱可能に組み付けられるものである。
このような構成により、ＬＥＤケーシング１０４と電源ケーシング１０５とを着脱して、照明器具のバリエーションに応じて別体あるいは一体とする使い分けや、ＬＥＤケーシング１０４及び電源ケーシング１０５の交換が容易であるため、部品のモジュール化によるコストの削減が可能となる。
【００２６】
そして、ＬＥＤケーシング１０４及び電源ケーシング１０５は、アルミニウム、銅、真鍮、セラミック等の放熱性材料で構成されるものであるため、放熱性が向上するとともに、ケーシング１０４、１０５が放熱手段を兼ねることにより、別に放熱手段を設けずにすむため、コストを削減できる。
【００２７】
また、ＬＥＤケーシング１０４及び電源ケーシング１０５は、有底筒状に形成され、筒底面同士が面接触されて組み付けられるものであるため、両ケーシング１０４、１０５の筒底面同士が面接触されて組み付けられることにより、放熱面積が増加するため、電源ケーシング１０５を介してＬＥＤケーシング１０４の放熱性が向上する。
【００２８】
そして、ＬＥＤケーシング１０４及び電源ケーシング１０５は、略同一断面を有する筒状に形成され、軸心が略一致されて一の筒状体を構成するように組み付けられるものであるため、同一の筒状に形成された両ケーシング１０４、１０５が一の筒状体を構成するため、照明器具の外観がシンプルになり、意匠が向上する。
【００２９】
なお、実施の形態は上記に限定されるものではなく、例えば次のように変更してもよい。
【００３０】
まず、上述した実施例のＬＥＤ照明器具１０１に対して、ＬＥＤケーシング及び電源ケーシングの着脱機構を変更した別実施例のＬＥＤ照明器具２０１・３０１・４０１について説明する。なお、図５から図７に示した第一実施例と同一符号の部材は、各実施例において同一の構成であるため、詳細な説明は省略する。
【００３１】
図５に示す第二実施例のＬＥＤ照明器具２０１は、ＬＥＤケーシング２０４の上面部材２０４ｂの周縁部に穿孔されている取付孔２０９・２０９と、電源ケーシング２０５の上面部材２０５ｂ及び底面部材２０５ｃの周縁部に穿孔されている取付孔２０８・２０８・・・とに、ネジ２１２・２１２が螺挿されることにより、ＬＥＤケーシング２０４と電源ケーシング２０５とが組み付けられるように構成されている。
【００３２】
取付孔２０９・２０９は、ＬＥＤケーシング２０４の上面部材２０４ｂの周縁部であって、ＬＥＤケーシング２０４の軸中心に対して対向する位置に穿孔されている。取付孔２０９・２０９は、孔内周にネジ溝が形成されているとともに、ネジ２１２・２１２の先端が螺挿されて、ＬＥＤケーシング２０４が支持されるように所定深さ穿孔されている。
【００３３】
取付孔２０８・２０８・・・は、電源ケーシング２０５の上面部材２０５ｂ及び底面部材２０５ｃの周縁部であって、電源ケーシング２０５の上面部材２０５ｂから底面部材２０５ｃに貫通するように穿孔されている。取付孔２０８・２０８・・・は、電源ケーシング２０５の軸中心に対して対向する位置であって、ＬＥＤケーシング２０４の取付孔２０９・２０９と同一半径軌跡上に穿孔されている。取付孔２０８・２０８・・・は、ＬＥＤケーシング２０４の取付孔２０９・２０９と同様に孔内周にネジ溝が形成されている。
【００３４】
ネジ２１２は、電源ケーシング２０５の長手方向よりも長く、かつＬＥＤケーシング２０４と電源ケーシング２０５とが組み付けられた状態で、電源ケーシング２０５の取付孔２０８・２０８に螺挿されて、ＬＥＤケーシング２０４の取付孔２０９の下端まで到達する長さとされている。
【００３５】
また、電源ケーシング２０５の底面部材２０５ｃの下面からは、電源回路１０３に接続されている接続端子２１０ａ・２１０ａが突出されているとともに、ＬＥＤケーシング２０４からは、ＬＥＤ基板１０２に接続され、接続端子２１０ａ・２１０ａが差し込まれる接続端子差込口２１１ａ・２１１ａが設けられている。そして、接続端子２１０ａ・２１０ａが接続端子差込口２１１ａ・２１１ａに差し込まれることにより、電源回路１０３とＬＥＤ基板１０２とが電気的に接続されるように構成されている。なお、接続端子２１０ａ・２１０ａ及び接続端子差込口２１１ａ・２１１ａは、一方がプラス極、他方がマイナス極とされている。
【００３６】
このような構成により、次のようにしてＬＥＤケーシング２０４と電源ケーシング２０５とが着脱可能に組み付けられる。
図５に示すように、ＬＥＤケーシング２０４の上面部材２０４ｂの上面と、電源ケーシング２０５の底面部材２０５ｃの下面とを対向させる。
そして、電源回路１０３側の接続端子２１０ａ・２１０ａを、ＬＥＤ基板１０２側の接続端子差込口２１１ａ・２１１ａに差し込む。ここで、接続端子２１０ａ・２１０ａが接続端子差込口２１１ａ・２１１ａに差し込まれると、ＬＥＤケーシング２０４の取付孔２０９・２０９と、電源ケーシング２０５の取付孔２０８・２０８・・・とが略一致して位置決めされるように構成されている。すなわち、ＬＥＤケーシング２０４の取付孔２０９と、電源ケーシング２０５の底面部材２０５ｃの取付孔２０８と、上面部材２０５ｂの取付孔２０８とが、正面視において重複するように位置決めされてネジ２１２・２１２が螺挿可能とされる。
そして、ＬＥＤケーシング２０４の軸心と電源ケーシング２０５の軸心とが略一致されて、ＬＥＤケーシング２０４の取付孔２０９・２０９と、電源ケーシング２０５の取付孔２０８・２０８・・・とが位置決めされた状態で、ネジ２１２・２１２が電源ケーシング２０５の上面部材２０５ｂの取付孔２０８・２０８、底面部材２０５ｃの取付孔２０８・２０８、ＬＥＤケーシング２０４の取付孔２０９・２０９に螺挿される。
こうして、ＬＥＤケーシング２０４と電源ケーシング２０５とが組み付けられる。このとき、ＬＥＤケーシング２０４の上面部材２０４ｂの上面と、電源ケーシング２０５の底面部材２０５ｃの下面とは、面接触されて組み付けられているいるとともに、略同一断面を有するＬＥＤケーシング２０４と電源ケーシング２０５とは、軸心が略一致されて一の筒状体を構成するように組み付けられている。
なお、ＬＥＤケーシング２０４と電源ケーシング２０５と分離する際には、上述した手順を逆に辿ることで容易に行うことができる。
このような構成により、第二実施例のＬＥＤ照明器具２０１は、電源回路１０３側の接続端子２１０ａ・２１０ａを、ＬＥＤ基板１０２側の接続端子差込口２１１ａ・２１１ａに差し込むだけで、ＬＥＤケーシング２０４の取付孔２０９・２０９と、電源ケーシング２０５の取付孔２０８・２０８・・・とが容易に位置決めされ、ＬＥＤケーシング２０４の取付孔２０９・２０９と、電源ケーシング２０５の取付孔２０８・２０８・・・とに、ネジ２１２・２１２が螺挿されることにより、ＬＥＤケーシング２０４と電源ケーシング２０５とを確実、かつ容易に組み付けられる。
【００３７】
次に、第三実施例のＬＥＤ照明器具３０１について説明する。
図６に示す第三実施例のＬＥＤ照明器具３０１は、ＬＥＤケーシング３０４の上端に形成されている凸部３０９が、電源ケーシング２０５の下端に形成されている凹部３０８に螺合されることにより、ＬＥＤケーシング３０４と電源ケーシング３０５とが組み付けられるように構成されている。
【００３８】
凸部３０９は、ＬＥＤケーシング３０４の上端がＬＥＤケーシング３０４本体よりも筒径が若干小さくして形成された突起部である。凸部３０９は、ＬＥＤケーシング３０４の同心円上に、背面視略円形に形成されているとともに、外周がネジ加工されている。
【００３９】
凹部３０８は、凸部３０９の形状と略同一形状であって、電源ケーシング２０５の下端が窪んで形成された窪みである。凹部３０８は、電源ケーシング３０５の同心円上に、正面視略円形に形成されているとともに、凸部３０９が螺合されるように内周がネジ加工されている。
【００４０】
また、電源ケーシング３０５の底面部材３０５ｃの下面中央部からは、電源回路１０３に接続されている周知のＤＣジャック３１０ａが突出されているとともに、ＬＥＤケーシング３０４の上面部材３０４ｂの上面中央部には、ＬＥＤ基板１０２に接続され、ＤＣジャック３１０ａに差し込まれる周知のＤＣプラグ３１１ａが設けられている。そして、電源回路１０３側のＤＣジャック３１０ａにＬＥＤ基板１０２側のＤＣプラグ３１１ａが差し込まれることにより、電源回路１０３とＬＥＤ基板１０２とが電気的に接続されるように構成されている。
【００４１】
このような構成により、次のようにしてＬＥＤケーシング３０４と電源ケーシング３０５とが着脱可能に組み付けられる。
図６に示すように、ＬＥＤケーシング３０４の上面部材３０４ｂの上面と、電源ケーシング３０５の底面部材３０５ｃの下面とを対向させる。
そして、電源回路１０３側のＤＣジャック３１０ａにＬＥＤ基板１０２側のＤＣプラグ３１１ａを差し込む。ここで、ＤＣジャック３１０ａにＤＣプラグ３１１ａが差し込まれると、ＬＥＤケーシング３０４の凸部３０９と電源ケーシング３０５の凹部３０８とが螺合して位置決めされるように構成されている。すなわち、凸部３０９と凹部３０８とが、正面視において重複するように位置決めされて螺合可能とされる。
そして、ＬＥＤケーシング３０４の軸心と電源ケーシング３０５の軸心とが略一致されて、凸部３０９と凹部３０８とが位置決めされた状態で、ＤＣジャック３１０ａにＤＣプラグ３１１ａが差し込まれながら案内されつつ、凸部３０９が凹部３０８に螺合される。
こうして、ＬＥＤケーシング３０４と電源ケーシング３０５とが組み付けられる。このとき、ＬＥＤケーシング３０４の上面部材３０４ｂの上面と、電源ケーシング３０５の底面部材３０５ｃの下面とは、面接触されて組み付けられているいるとともに、略同一断面を有するＬＥＤケーシング３０４と電源ケーシング３０５とは、軸心が略一致されて一の筒状体を構成するように組み付けられている。
なお、ＬＥＤケーシング３０４と電源ケーシング３０５と分離する際には、上述した手順を逆に辿ることで容易に行うことができる。
このような構成により、第三実施例のＬＥＤ照明器具３０１は、電源回路１０３側のＤＣジャック３１０ａにＬＥＤ基板１０２側のＤＣプラグ３１１ａを差し込むだけで、ＬＥＤケーシング３０４の凸部３０９と電源ケーシング２０５の凹部３０８とが容易に位置決めされ、ＤＣジャック３１０ａにＤＣプラグ３１１ａが差し込まれながら案内されつつ、凸部３０９が凹部３０８に螺合されることにより、ＬＥＤケーシング３０４と電源ケーシング３０５とを確実、かつ容易に組み付けられる。
【００４２】
次に、第四実施例のＬＥＤ照明器具４０１について説明する。
図７に示す第四実施例のＬＥＤ照明器具４０１は、第二実施例で示したように、ＬＥＤケーシング２０４の取付孔２０９・２０９と、電源ケーシング２０５の取付孔２０８・２０８・・・とに、ネジ２１２・２１２が螺挿されることにより、ＬＥＤケーシング２０４と電源ケーシング２０５とが組み付けられるように構成されている。また、第三実施例で示したように、電源回路１０３側のＤＣジャック３１０ａにＬＥＤ基板１０２側のＤＣプラグ３１１ａが差し込まれて、電源回路１０３とＬＥＤ基板１０２とが電気的に接続されるように構成されている。
【００４３】
また、上述した各実施例のＬＥＤ照明器具１０１（２０１・３０１・４０１）は、ペンダントライトとして使用するものであるが、照明器具の種類はこれに限定するものではない。例えば、スポットライト、ダウンライト、シーリングライトとして使用することもできる。また、ライティングダクトに取り付けて使用することもできる。
【００４４】
また、例えば、第一実施例のＬＥＤ照明器具１０１で示したように、ＬＥＤ基板１０２は、５個のＬＥＤ１０２ａ・１０２ａ・・・が実装されて略正五角形に配置されているものであるが（図３参照）、ＬＥＤの個数及び配置の形状は、これに限定するものではない。
【００４５】
また、上述した各実施例のＬＥＤ照明器具１０１（２０１・３０１・４０１）は、照明器具のバリエーションに応じて、ＬＥＤの種類、個数、配置の形状等が異なるＬＥＤ基板を備えるＬＥＤケーシング１０４（２０４・３０４）に交換して、電源ケーシング１０５（２０５・３０５）に組み付けることができる。そして、複数のＬＥＤ照明器具１０１（２０１・３０１・４０１）を設置する場合、電源ケーシング１０５（２０５・３０５）のそれぞれに、異なるＬＥＤ基板を備えるＬＥＤケーシング１０４（２０４・３０４）を組み付けて使用することができるとともに、使用状況に応じてＬＥＤケーシング１０４（２０４・３０４）を交換することもできる。
【００４６】
また、ＬＥＤケーシング１０４（２０４・３０４）及び電源ケーシング１０５（２０５・３０５）の外周に、フィン、溝、凹凸等を形成して放熱手段を構成することもできる。
【００４７】
また、ＬＥＤケーシング１０４（２０４・３０４）及び電源ケーシング１０５（２０５・３０５）の本体は、円筒以外の筒状に形成されていてもよい。
【００４８】
また、第一実施例のＬＥＤ照明器具１０１は、電源側コード１１０の接続プラグ１１０ａと、ＬＥＤ側コード１１１の接続プラグ１１１ａとが接続されて、電源回路１０３とＬＥＤ基板１０２とが電気的に接続されるように構成されているものであるが、電源ケーシング１０５の引掛具１０８・１０８・・・と、ＬＥＤケーシング１０４の引掛溝１０９・１０９・・・とが引っ掛けられることにより電気的に接続される構成でもよい。
【図面の簡単な説明】
【００４９】
【図１】第一実施例にかかるＬＥＤ照明器具を示した側面図。
【図２】同じく側面断面図。
【図３】同じく正面図。
【図４】第一実施例にかかるケーシングの着脱機構を示した斜視図。
【図５】第二実施例にかかるケーシングの着脱機構を示した斜視図。
【図６】第三実施例にかかるケーシングの着脱機構を示した斜視図。
【図７】第四実施例にかかるケーシングの着脱機構を示した斜視図。
【符号の説明】
【００５０】
１０１    ＬＥＤ照明器具
１０２    ＬＥＤ基板
１０２ａ    ＬＥＤ
１０３    電源回路
１０４    ＬＥＤケーシング
１０５    電源ケーシング
２０１    ＬＥＤ照明器具
２０４    ＬＥＤケーシング
２０５    電源ケーシング
３０１    ＬＥＤ照明器具
３０４    ＬＥＤケーシング
３０５    電源ケーシング
４０１    ＬＥＤ照明器具
【図１】
2008258066.tif 000003
【図２】
2008258066.tif 000004
【図３】
2008258066.tif 000005
【図４】
2008258066.tif 000006
【図５】
2008258066.tif 000007
【図６】
2008258066.tif 000008
【図７】
2008258066.tif 000009